(57)【要約】【課題】パネル荷重を受ける横材の転びを抑制できるカーテンウォールを提供すること。【解決手段】カーテンウォール１は、方立２と、方立２間に配置されたパネル体１０と、パネル体１０の荷重を受ける無目３Ａとを備える。無目３Ａは、パネル体１０の荷重を受ける無目本体部３１と、無目本体部３１から延出した取付用の延出片部３２とを有する。無目３Ａの長手方向における端部には、小口材４０が取り付けられる。小口材４０には、延出片部３２よりも室外側に配置された転び抑制部４２が形成されている。【選択図】図４
2018123541.tif 000002
【特許請求の範囲】
【請求項１】
複数の方立と、前記複数の方立間に配置されたパネル体と、前記パネル体の荷重を受ける横材とを備え、
前記横材は、横材本体部と、上下方向において前記横材本体部から延出した取付用の延出片部とを有し、
前記横材の長手方向における端部には、小口材が取り付けられ、
前記小口材には、前記延出片部よりも室外側に配置された転び抑制部が形成されている
ことを特徴とするカーテンウォール。
【請求項２】
請求項１に記載のカーテンウォールにおいて、
前記複数の方立間であって前記横材よりも下方の位置に開口部が形成され、
前記開口部には、枠材および面材を備えたパネルユニットが配置され、
前記横材の延出片部には、前記パネルユニットの枠材が取り付けられ、
前記小口材の転び抑制部は、前記横材および前記枠材間に配置されている
ことを特徴とするカーテンウォール。
【請求項３】
請求項２に記載のカーテンウォールにおいて、
前記小口材は、前記転び抑制部が形成された小口材本体部と、前記小口材本体部から垂下した垂下片部とを有し、
前記垂下片部の下縁は、前記枠材の上面よりも下方に配置されている
ことを特徴とするカーテンウォール。
【請求項４】
請求項１から請求項３のいずれか一項に記載のカーテンウォールにおいて、
前記転び抑制部は、前記横材の見込み方向における中間位置よりも室外側に配置されている
ことを特徴とするカーテンウォール。
【発明の詳細な説明】
【技術分野】
【０００１】
本発明は、建物の外壁面を構成するノックダウン式のカーテンウォールに関する。
【背景技術】
【０００２】
従来、建物の外壁面を構成するカーテンウォールとしては、窓枠と障子とで構成される開閉窓などのパネルユニットを方立および無目で区画された開口部にそのまま嵌め込み、ブラケット等で取り付けるものが知られている。
例えば、特許文献１では、建物躯体に方立を取り付け、方立の間に無目を取り付けて開口枠を複数形成し、開口枠に対してガラスパネル等のパネルを取り付けてＦＩＸ部（固定部）を形成する一方、他の開口枠に対してパネルユニットとしての窓サッシを窓枠ごと取り付けて窓部を形成するノックダウン式のカーテンウォールが提案されている。
【０００３】
このカーテンウォールでは、窓サッシの上窓枠の見込み面と無目の見込み面との間にシール材が施工され、このシール材よりも室内側に位置した無目の係止片に上窓枠の起立片がビス止め（固定）されている。また、このカーテンウォールでは、窓部の上方に位置する無目がＦＩＸ部のパネル荷重を受けている。
【先行技術文献】
【特許文献】
【０００４】
【特許文献１】特開２００３−２９３５０１号公報
【発明の概要】
【発明が解決しようとする課題】
【０００５】
ところで、特許文献１に記載のカーテンウォールでは、窓サッシの上窓枠と無目との間にシール材が施工される空間が形成されており、この空間よりも室内側において上窓枠が無目に固定されており、上窓枠が無目に固定される部分が、無目がＦＩＸ部のパネル荷重を受ける部分よりも室内側に外れて位置している。このため、無目の上窓枠との固定部分よりも室外側の部分が垂れ下り、かつ無目の上窓枠との固定部分よりも室内側の部分が浮き上がる転びが生じるおそれがある。この転びはカーテンウォールに撓み、部材脱落、隙間などの構造上の欠陥を引き起こして気密性、水密性が低下するおそれがある。また、この転びが生じると所望の施工仕上がりとならないおそれもある。
このような転びは、無目に限られず、パネル荷重を受ける下枠等の各種の横材に生じるおそれがある。
【０００６】
本発明の目的は、パネル荷重を受ける横材の転びを抑制できるカーテンウォールを提供することにある。
【課題を解決するための手段】
【０００７】
本発明のカーテンウォールは、複数の方立と、前記複数の方立間に配置されたパネル体と、前記パネル体の荷重を受ける横材とを備え、前記横材は、横材本体部と、上下方向において前記横材本体部から延出した取付用の延出片部とを有し、前記横材の長手方向における端部には、小口材が取り付けられ、前記小口材には、前記延出片部よりも室外側に配置された転び抑制部が形成されていることを特徴とする。
【０００８】
このような構成によれば、横材の長手方向における端部に小口材を取り付けるだけで、取付用の延出片部よりも室外側に転び抑制部を配置できる。前述したように転び抑制部を配置することで、小口材を横材に取り付けない場合と比べ、パネル体や横材が室外側に転ぶことを抑制でき、この転びによってカーテンウォールの撓み、部材脱落、隙間などの構造上の欠陥を引き起こすことがなくなって気密性、水密性が低下するおそれをなくすことができる。また、前述した転びを生じさせることなく所望の施工仕上がりにできる。
【０００９】
本発明のカーテンウォールでは、前記複数の方立間であって前記横材よりも下方の位置に開口部が形成され、前記開口部には、枠材および面材を備えたパネルユニットが配置され、前記横材の延出片部には、前記パネルユニットの枠材が取り付けられ、前記小口材の転び抑制部は、前記横材および前記枠材間に配置されていることを特徴とするカーテンウォール。
このような構成によれば、無目等の横材の長手方向における端部に小口材を取り付けるだけで、延出片部よりも室外側に転び抑制部を配置できる。これにより、パネル体の荷重を受ける横材の延出片部よりも室外側部分が垂れ下り、かつ当該延出片部よりも室内側部分が浮き上がる転びが生じることを、転び抑制部がパネルユニットの枠材に当接することによって抑制でき、この転びよって気密性、水密性が低下するおそれをなくすことができる。
【００１０】
本発明のカーテンウォールでは、前記小口材は、前記転び抑制部が形成された小口材本体部と、前記小口材本体部から垂下した垂下片部とを有し、前記垂下片部の下縁は、前記枠材の上面よりも下方に配置されていることが好ましい。
このような構成によれば、方立および小口材間に雨水が浸入した場合でも、雨水が垂下片部をつたって下方に落ちるので、雨水がパネルユニットに浸入するおそれを低減できる。
【００１１】
本発明のカーテンウォールでは、前記転び抑制部は、前記横材の見込み方向における中間位置よりも室外側に配置されていることが好ましい。
このような構成によれば、横材の延出片部が当該横材の見込み方向における中間位置よりも室内側に配置されていても、転び抑制部は当該中間位置よりも室外側に配置されるので、パネル体の荷重を受ける横材の転びを効率よく抑制できる。
【発明の効果】
【００１２】
本発明によれば、パネル荷重を受ける横材の転びを抑制できるカーテンウォールを提供できる。
【図面の簡単な説明】
【００１３】
【図１】本発明の実施形態に係るカーテンウォールを示す外観姿図。
【図２】前記実施形態に係るカーテンウォールを示す縦断面図。
【図３】前記実施形態に係るカーテンウォールを示す横断面図。
【図４】前記実施形態に係るカーテンウォールの無目を示す縦断面図。
【図５】前記実施形態に係るカーテンウォールの要部を示す斜視図。
【図６】前記実施形態に係るカーテンウォールの小口材の取付状態を示す説明図。
【図７】前記実施形態に係るカーテンウォールの小口材を示す説明図。
【図８】本発明の第１変形例に係るカーテンウォールの無目を示す縦断面図。
【図９】本発明の第２変形例に係るカーテンウォールの下部を示す縦断面図。
【発明を実施するための形態】
【００１４】
［本実施形態の構成］
以下、本発明の実施形態を図面に基づいて説明する。
図１〜図３において、本実施形態に係るカーテンウォール１は、ノックダウン式のカーテンウォールであり、建物の床スラブにファスナーを介して支持される複数の方立２と、複数の方立２間に配置された複数の横材としての無目３と、複数の方立２間の開口部４にそれぞれ配置されたパネル体１０とを備えている。パネル体１０には、ガラスパネル等のカーテンウォールパネル５１によって構成されたＦＩＸ部５０（固定部）と、枠体６２（枠材）および障子６６を備えたパネルユニット６１によって構成された開閉可能な窓部６０とがある。
【００１５】
方立２は、図１に示すように上下方向に伸びた通し材であり、アルミ押出形材によって形成されている。図３，５において、方立２は、断面略矩形状の方立本体部２１と、方立本体部２１における室外側の見付け片部から室外側に延出した方立見込み片部２２と、方立見込み片部２２の室外端部に連続した室外見付け片部２３とを有している。
【００１６】
方立２は、図３に示すように、方立本体部２１における室外側の見付け片部および方立見込み片部２２に係合された押縁２４と室外見付け片部２３との間に配置されるカーテンウォールパネル５１の縦縁部をバックアップ材およびシール材を介して保持している。
また、図３に示す方立２の方立本体部２１における室外側の見付け片部と室外見付け片部２３との間には、パネルユニット６１の後述する縦枠６５が配置されており、室外見付け片部２３および縦枠６５間には、バックアップ材およびシール材が設けられている。
【００１７】
パネルユニット６１の上方に配置されたカーテンウォールパネル５１は、単板ガラスパネルであってカーテンウォール１のスパンドレル部を構成している。
また、パネルユニット６１の下方に配置されたカーテンウォールパネル５１は、複層ガラスパネルであってカーテンウォール１のビジョン部を構成している。
なお、前述したカーテンウォールパネル５１は、複層ガラスパネルであっても、単板ガラスパネルであっても、アルミパネルであってもよい。
【００１８】
パネルユニット６１は、通常では、建物躯体に取り付けられて、外壁面と面一なつらいち枠を構成するものであり、本実施形態では自然換気窓として構成されている。
【００１９】
パネルユニット６１の枠体６２は、アルミ押出形材によって形成された上枠６３、下枠６４および左右の縦枠６５を枠組みして構成されており、本実施形態では縦枠６５勝ちとされている。枠体６２の室外面は方立２および無目３の室外面と面一に配置されている。
上枠６３は、上枠本体部６３１と、上枠本体部６３１の上見込み片部から立ち上げられ取付用の立上げ片部６３２と、立上げ片部６３２よりも室内側に形成されたアンカーポケット形成部６３３とを有している。
【００２０】
パネルユニット６１の障子６６は、上框６７、下框６８、左右の縦框６９およびパネル７０（面材）を框組みして構成されており、左右の縦框６９は左右の縦枠６５に対して左右方向に沿った軸心の周りで開閉回転可能に軸支されている。上框６７、下框６８および左右の縦框６９は、アルミ製押出形材によって形成されている。パネル７０は、複層ガラスパネルによって構成されているが、単板ガラスパネルであってもよい。
また、縦框６９には、障子６６が回転して上下方向に対して傾斜した状態で当該障子６６を支える支え部材７１が取り付けられている。
このパネルユニット６１は、障子６６の重心位置と軸支位置とが異なる位置に設定されており、障子６６の自重により自然開放し、かつ障子６６が風を受けることで自然閉鎖する構成とされている。
【００２１】
複数の無目３のうちパネルユニット６１の上方に配置される無目３Ａは、図４，５に示すように、当該無目３Ａの上方に配置されるパネル体１０、本実施形態ではカーテンウォールパネル５１の荷重を受ける無目本体部３１（横材本体部）と、無目本体部３１から下方に延出した取付用の延出片部３２と、延出片部３２よりも室内側においてアンカーポケット形成部６３３に係合する係合部３３とを有している。
【００２２】
無目本体部３１は、ホローを形成するホロー形成部３１１と、ホロー形成部３１１から室外側に延出した上見込み片部３１２および下見込み片部３１３とを有している。上見込み片部３１２のうちホロー形成部３１１よりも室外側に位置する部分には孔部が形成されており、この孔部に排水弁３１７が装着されている。なお、ホロー形成部３１１の室内側部分は、パネルユニット６１の上枠６３の室外側部分に断面略Ｌ字状の通し材９によって取り付けられている。
【００２３】
上見込み片部３１２の室外端部は、パネル体１０を構成するカーテンウォールパネル５１の室内面に対向して配置されており、当該室外端部に装着されたビード３１４がカーテンウォールパネル５１の室内面に当接している。
【００２４】
下見込み片部３１３は、上見込み片部３１２よりも室外側に延出している。下見込み片部３１３には、その室外端部から立ち上げられてカーテンウォールパネル５１の室外面に対向して配置された室外対向片部３１５が形成されており、この室外対向片部３１５およびカーテンウォールパネル５１の室外面間にはバックアップ材およびシール材が設けられている。また、下見込み片部３１３には、その室外端部から下側に形成されたシール材受け部３１６が形成されている。
下見込み片部３１３の上面には、セッティングブロック６が配置されており、セッティングブロック６上にカーテンウォールパネル５１が載せられている。
【００２５】
延出片部３２は、無目本体部３１の下見込み片部３１３に対してカーテンウォールパネル５１の荷重が集中する位置よりも室内側の位置に配置されており、本実施形態では、無目３Ａの見込み方向における中間位置に配置されている。この延出片部３２には、パネルユニット６１の上枠６３の立上げ片部６３２がビス止めされている。
係合部３３は、ホロー形成部３１１の下片部から下方に突出した爪部によって形成されており、延出片部３２よりも室内側に配置されている。
【００２６】
無目３Ａのシール材受け部３１６および上枠６３間には、バックアップ材７およびシール材８が設けられている。シール材８は、延出片部３２よりも室外側に配置されている。
【００２７】
無目３Ａの長手方向における両端部には、図６，７に示す小口材４０がそれぞれ取り付けられている。なお、図６（Ａ）は、小口材４０の取付状態を示す斜視図であり、図６（Ｂ）は、小口材４０の取付状態を示す側面図であり、図６（Ｃ）は、小口材４０の取付状態を示す正面図である。また、図７（Ａ）は、小口材４０を示す斜視図であり、図７（Ｂ）は、小口材４０を示す側面図であり、図７（Ｃ）は、小口材４０を示す正面図である。
【００２８】
小口材４０は、小口材本体部４１と、小口材本体部４１から下方に延出した転び抑制部４２と、小口材本体部４１から垂下した垂下片部４３とを有している。
【００２９】
小口材本体部４１は、無目３Ａのホロー形成部３１１、下見込み片部３１３、室外対向片部３１５およびシール材受け部３１６の小口に沿って板状に形成されている。小口材本体部４１は、無目３Ａに形成されたビスホールにビス止めされている。
【００３０】
転び抑制部４２は、小口材本体部４１の室外側下部から垂下した垂下部４２１と、垂下部４２１の下縁部が左右方向に沿って折曲された枠当接部４２２とを有している。転び抑制部４２は、下見込み片部３１３および縦枠６５間であって延出片部３２およびシール材８間に配置されている。転び抑制部４２は、無目３Ａの見込み方向における中間位置に配置された延出片部３２よりも室外側に配置されている。枠当接部４２２は、縦枠６５の上面に当接している。
なお、転び抑制部４２は、例えばカーテンウォールパネル５１の荷重を受ける位置よりも上下方向における下方に配置されていてもよく、この場合には無目３Ａの転びを効率よく抑制できる。
【００３１】
垂下片部４３は、転び抑制部４２よりも室内側に配置されており、垂下片部４３の下縁は、上枠６３および縦枠６５の上面よりも下方に配置されている。
【００３２】
小口材４０の方立２側の面には、発泡ポリエチレン等からなるシール材受け部４４が形成されており、このシール材受け部４４の周囲に図５に示す湿式シール材４５が設けられている。
【００３３】
［本実施形態の効果］
（１）前記実施形態では、カーテンウォール１は、複数の方立２と、複数の方立２間に配置されたパネル体１０と、パネル体１０のＦＩＸ部５０の荷重を受ける無目３Ａとを備え、無目３Ａには、無目本体部３１と、上下方向において無目本体部３１から延出した取付用の延出片部３２とを有し、無目３Ａの長手方向における端部には、小口材４０が取り付けられ、小口材４０には、無目３Ａの延出片部３２よりも室外側に配置された転び抑制部４２が形成されていることを特徴とする。
上記構成を有するため、無目３Ａの長手方向における端部に小口材４０を取り付けるだけで、取付用の延出片部３２よりも室外側に転び抑制部４２を配置できる。このように転び抑制部４２を配置することで、小口材４０を無目３Ａに取り付けない場合と比べ、カーテンウォールパネル５１の荷重を受ける無目３Ａの延出片部３２よりも室外側部分が垂れ下り、かつ当該延出片部３２よりも室内側部分が浮き上がる転びが生じることを、転び抑制部４２が枠体６２に当接することによって抑制でき、この転びによってカーテンウォール１の撓み、部材脱落、隙間などの構造上の欠陥を引き起こすことがなくなって気密性、水密性が低下するおそれをなくすことができる。また、前述した転びを生じさせることなく所望の施工仕上がりにできる。
さらに、本実施形態では、以下の各効果を発揮できる。
（２）複数の方立２間であって無目３Ａよりも下方の位置に開口部４が形成され、開口部４には、枠体６２および障子６６を備えたパネルユニット６１が配置され、無目３Ａの延出片部３２には、パネルユニット６１の枠体６２が取り付けられ、小口材４０の転び抑制部４２は、無目３Ａおよび枠体６２間に配置されている。
このため、例えば、パネルユニット６１が建物躯体の開口部につらいち枠に納められるための既存のパネルユニットであっても、その枠体６２に無目３Ａの延出片部３２を取り付けて開口部４に配置でき、前記転び抑制部４２が既存のパネルユニットの枠体６２に当たることで無目３Ａの転びを抑制できる。
（３）小口材４０は、転び抑制部４２が形成された小口材本体部４１と、小口材本体部４１から垂下した垂下片部４３とを有し、垂下片部４３の下縁は、枠体６２の上面よりも下方に配置されている。
このため、方立２および小口材４０間に雨水が浸入した場合でも、雨水が垂下片部４３をつたって下方に落ちるので、雨水がパネルユニット６１に浸入するおそれを低減できる。
（４）前記実施形態では、転び抑制部４２は、無目３Ａの見込み方向における中間位置よりも室外側に配置されている。
このため、無目３Ａの延出片部３２が当該無目３Ａの見込み方向における中間位置よりも室内側に配置されていても、転び抑制部４２は当該中間位置よりも室外側に配置されるので、カーテンウォールパネル５１の荷重を受ける無目３Ａの転びを効率よく抑制できる。
（５）無目３Ａに取り付けた小口材４０の転び抑制部４２を縦枠６５の上面に当接させることで無目３Ａの仮位置決めができ、前記当接させた状態で無目３Ａの延出片部３２を上枠６３の立上げ片部６３２にビス止めできるので、施工性を向上できる。
【００３４】
［変形例］
本発明は、以上の実施形態で説明した構成のものに限定されず、本発明の目的を達成できる範囲での変形例は、本発明に含まれる。
例えば、前記実施形態では、小口材４０の転び抑制部４２は、無目３Ａの見込み方向における中間位置よりも室外側に配置されているが、これに限られず、例えば、延出片部３２が前記中間位置よりも室内側に配置されている場合には、転び抑制部４２は、前記中間位置よりも室内側に配置されていても、延出片部３２よりも室外側に配置されていればよい。この場合には、転び抑制部４２がない場合に比べて、延出片部３２よりも室外側で転び抑制部４２を枠体６２に当接させて、無目３Ａを支えることができるので、無目３Ａの転びを抑制できる。
【００３５】
前記実施形態では、転び抑制部４２は、小口材本体部４１の室外側下部から垂下した垂下部４２１と、垂下部４２１の下縁部が左右方向に沿って折曲された枠当接部４２２とを有しているが、これに限られず、無目３Ａおよび枠体６２間に配置される形状であればよい。例えば、前述した転び抑制部４２の代わりに、垂下片部４３の室外側縦縁部が左右方向に沿って折曲された転び抑制部４２を備えていてもよく、この場合、転び抑制部４２の下縁部が縦枠６５の上面に当接して無目３Ａの転びを抑制可能に構成される。
【００３６】
前記実施形態では、小口材本体部４１から垂下した垂下片部４３を有しているが、これに限られず、例えばシール材受け部４４の周囲に設けられた湿式シール材４５が切れた場合の雨水の浸入を考慮しなくてもよい場合には、垂下片部４３の構成を省いてもよい。
【００３７】
なお、前述したパネルユニット６１は、本実施形態に係るカーテンウォール１に取り付けるために特別に製造されたものではなく、一般的なビル等の建物躯体の開口部に設置されるものである。
カーテンウォール１の開口部４には、自然換気窓をパネルユニット６１としたが、このほか、引き違い窓、片引き窓、開き窓、縦すべり出し窓、横すべり出し窓、内倒し窓、外倒し窓、ＦＩＸ窓、縦軸回転窓などの各種の窓やドアであってもよい。
【００３８】
例えば、カーテンウォール１の開口部４に配置されるパネルユニット６１を、図８に示すようにＦＩＸ窓８１（固定窓）としてもよい。このＦＩＸ窓８１は、一般的なビル等の建物躯体の開口部に設置されるものをカーテンウォール１の開口部４に配置したものであり、左右の方立２および上下の無目３に取り付けられている。
【００３９】
ＦＩＸ窓８１は、枠材としての上枠８２および下枠（図示省略）と面材としてのパネル８５とを組んで構成されている。上枠８２および下枠はアルミ製の押出形材によって形成されている。パネル８５は、単板ガラスパネルによって構成されているが、複層ガラスパネルであってもよい。
上枠８２は、上枠本体部８２１と、上枠本体部８２１の上見込み片部８３４から立ち上げられた取付け用の立上げ片部８３２と、立上げ片部８３２よりも室内側に形成された係合片部８３３とを有している。上枠本体部８２１の上見込み片部８３４の室外端部側には押縁８３５が係合しており、この押縁８３５と上枠本体部８２１のパネル対向片部８３６との間に配置されたパネル８５は、これらの間にバックアップ材およびシール材を介して保持されている。
【００４０】
上枠８２よりも上方に配置された無目３Ｂは、カーテンウォールパネル５１の荷重を受ける無目本体部３１Ａ（横材本体部）と、無目本体部３１Ａから下方に延出した取付用の延出片部３２Ａと、延出片部３２Ａよりも室内側において上枠８２の係合片部８３３に係合した係合部３３Ａとを有している。
【００４１】
無目本体部３１Ａは、ホローを形成するホロー形成部３１１Ａと、ホロー形成部３１１Ａから室外側に延出した上見込み片部３１２Ａおよび下見込み片部３１３Ａとを有している。上見込み片部３１２Ａのうちホロー形成部３１１Ａよりも室外側に位置する部分には孔部が形成されており、この孔部に排水弁３１７が装着されている。なお、ホロー形成部３１１Ａの室内側部分は、上枠８２の室内側部分に断面略Ｌ字状の通し材９Ａによって取り付けられている。
【００４２】
上見込み片部３１２Ａの室外端部は、パネル体１０を構成するカーテンウォールパネル５１の室内面に対向して配置されており、当該室外端部に装着されたビード３１４がカーテンウォールパネル５１の室内面に当接している。
下見込み片部３１３Ａは、上見込み片部３１２よりも室外側に延出している。下見込み片部３１３Ａには、その室外端部から立上げられてカーテンウォールパネル５１の室外面に対向して配置された室外対向片部３１５Ａが形成されており、この室外対向片部３１５Ａおよびカーテンウォールパネル５１の室外面間にはバックアップ材およびシール材が設けられている。
【００４３】
延出片部３２Ａは、無目本体部３１Ａの下見込み片部３１３Ａに対してカーテンウォールパネル５１の荷重が集中する位置よりも室内側の位置に配置されている。この延出片部３２Ａには、ＦＩＸ窓８１の上枠８２の立上げ片部８３２がビス止めされている。
無目３Ａの下見込み片部３１３Ａの室外端部および上枠８２の上見込み片部８３４の室外端部間には、バックアップ材７およびシール材８が設けられている。
【００４４】
無目３Ｂの長手方向における両端部には、小口材４０Ａがそれぞれ取り付けられている。小口材４０Ａは、小口材本体部４１Ａと、小口材本体部４１Ａの室外側下縁部が折曲されて形成された転び抑制部４２Ａとを有している。
小口材４０の方立２側の面には、発泡ポリエチレン等からなるシール材受け部が形成されており、このシール材受け部の周囲に湿式シール材が設けられている。
【００４５】
小口材本体部４１Ａは、無目３Ｂのホロー形成部３１１Ａ、下見込み片部３１３Ａおよび室外対向片部３１５Ａに沿って板状に形成されている。小口材本体部４１Ａは、無目３Ｂに形成されたビスホールにビス止めされている。
【００４６】
転び抑制部４２Ａは、下見込み片部３１３Ａおよび方立２間であって延出片部３２Ａおよびシール材８間に配置されている。転び抑制部４２Ａは、無目３Ｂの見込み方向において延出片部３２Ａよりも室外側に配置されている。
なお、無目３Ｂが上枠８２と連結されることで、一つの連結無目を構成している。
【００４７】
このように無目３Ｂの下方の開口部４にパネル８５を配置した場合でも、転び抑制部４２Ａを有した小口材４０Ａを無目３Ｂに取り付けることで、カーテンウォールパネル５１の荷重を受ける無目３Ｂの延出片部３２Ａよりも室外側部分が垂れ下り、かつ当該延出片部３２Ａよりも室内側部分が浮き上がる転びが生じることを、転び抑制部４２Ａが上枠８２の上面に当接することによって抑制でき、この転びによってカーテンウォール１の撓み、部材脱落、隙間などの構造上の欠陥を引き起こすことがなくなって気密性、水密性が低下するおそれをなくすことができる。また、前述した転びを生じさせることなく所望の施工仕上がりにできる。
【００４８】
前記実施形態では、図９に示すように、カーテンウォール１の最下部にも、各種のパネルユニットによって構成されたパネル体１０の荷重を受ける下枠（横材）９１の長手方向における両端部に小口材４０Ｂを取り付けてもよい。
このパネル体１０は、図示しないパネルの下縁を保持した下枠、下框等の下枠材９２（枠材）を備えている。下枠材９２の下見込み片部３１３Ｂには、下方に垂下した垂下片部９３２が形成されている。
【００４９】
下枠９１は、ホローを形成した下枠本体部９１１と、下枠本体部９１１の見込み片部９１２から上方に延出した取付用の延出片部９１３とを有している。延出片部９１３には、下枠材９２の垂下片部９３２がビス止めされている。下枠９１の見込み片部９１２の室外端部および下枠材９２の下見込み片部３１３Ｂ間には、バックアップ材７およびシール材８が設けられている。なお、下枠本体部９１１の室内側部分は下枠材９２の室内側部分に断面略Ｌ字状の通し材９によって取り付けられている。
【００５０】
小口材４０Ｂは、小口材本体部４１Ｂと、小口材本体部４１Ｂの室外側上縁部が折曲されて形成された転び抑制部４２Ｂとを有している。
小口材４０Ｂの方立２側の面には、発泡ポリエチレン等からなるシール材受け部が形成されており、このシール材受け部の周囲に湿式シール材が設けられている。
【００５１】
小口材本体部４１Ｂは、下枠本体部９１１に沿って板状に形成されており、下枠９１に形成されたビスホールにビス止めされている。
転び抑制部４２Ｂは、下枠材９２の下見込み片部３１３Ｂおよび下枠９１の見込み片部９１２間であって、延出片部９１３およびシール材８間に配置されている。転び抑制部４２Ｂは、下枠９１の見込み方向において延出片部９１３よりも室外側に配置されている。
【００５２】
このように下枠材９２の下方に小口材４０Ｂが取り付けられた下枠９１を配置した場合でも、パネル体１０の荷重を受ける下枠９１の延出片部９１３よりも室外側に位置する下枠材９２の部分が垂れ下り、かつ当該延出片部９１３よりも室内側部分に位置する下枠材９２の部分が浮き上がる転びが生じることを、転び抑制部４２Ｂが下枠材９２の下見込み片部３１３Ｂに当接することによって抑制でき、この転びによって気密性、水密性が低下するおそれをなくすことができる。
【符号の説明】
【００５３】
１…カーテンウォール、１０…パネル体、２…方立、２１…方立本体部、２２…方立見込み片部、２３…室外見付け片部、２４，８３５…押縁、３，３Ａ，３Ｂ…無目（横材）、３１，３１Ａ…無目本体部（横材本体部）、３１１，３１１Ａ…ホロー形成部、３１２，３１２Ａ，８３４…上見込み片部、３１３，３１３Ａ，３１３Ｂ…下見込み片部、３１４…ビード、３１５，３１５Ａ…室外対向片部、３１７…排水弁、３２，３２Ａ，９１３…延出片部、３３，３３Ａ…係合部、４…開口部、４０，４０Ａ，４０Ｂ…小口材、４１，４１Ａ，４１Ｂ…小口材本体部、４２，４２Ａ，４２Ｂ…転び抑制部、４２１…垂下部、４２２…枠当接部、４３，９３２…垂下片部、４４，３１６…シール材受け部、４５…湿式シール材、５０…ＦＩＸ部、５１…カーテンウォールパネル、６…セッティングブロック、６０…窓部、６１…パネルユニット、６２…枠体、６３…上枠、６３１…上枠本体部、６３２，８３２…立上げ片部、６３３…アンカーポケット形成部、６４，９１…下枠、６５…縦枠、６６…障子、６７…上框、６８…下框、６９…縦框、７…バックアップ材、７０，８５…パネル、７１…支え部材、８…シール材、８２…上枠、８２１…上枠本体部、８３３…係合片部、８３６…パネル対向片部、９，９Ａ…通し材、９２…下枠材、９１１…下枠本体部、９１２…見込み片部。
【図１】
2018123541.tif 000003
【図２】
2018123541.tif 000004
【図３】
2018123541.tif 000005
【図４】
2018123541.tif 000006
【図５】
2018123541.tif 000007
【図６】
2018123541.tif 000008
【図７】
2018123541.tif 000009
【図８】
2018123541.tif 000010
【図９】
2018123541.tif 000011